Podtech/llm-jp-corpus-v4-ja_patent huggingface dataset:
(57)【要約】  【課題】シフトレバーのノブ加飾を簡単かつ安価に対応し強固なシフトレバーノブ加飾構造を提供する。  【解決手段】ノブ本体（１）の加飾取付部（１ａ）に加飾片（２）を設けたシフトレバーノブにおいて、前記加飾片（２）は加飾取付部（１ａ）と同形状に付形した樹脂シートで構成し、この樹脂シートの裏面に加飾印刷（３）し接着剤（４）を塗布した構造として加飾取付部（１ａ）にセットし表面より熱板で押圧し密着してなることを特徴とする。樹脂シートからなる加飾片（２）は透明樹脂で構成することが好ましい。【選択図】図１
0003124956.tif 000002
【実用新案登録請求の範囲】
【請求項１】
ノブ本体（１）の加飾取付部（１ａ）に加飾片（２）を設けたシフトレバーノブにおいて、前記加飾片（２）は加飾取付部（１ａ）と同形状に付形した樹脂シートで構成し、この樹脂シートの裏面に加飾印刷（３）し接着剤（４）を塗布した構造として加飾取付部（１ａ）にセットし表面より熱板で押圧し密着してなることを特徴とするシフトレバーノブ加飾構造。
【請求項２】
樹脂シートからなる加飾片（２）を透明樹脂で構成してなる請求項１記載のシフトレバーノブ加飾構造。
【考案の詳細な説明】
【技術分野】
【０００１】
本考案は、自動車等の運転席で操作されるシフトレバーノブの加飾構造に関する。
【背景技術】
【０００２】
シフトレバーの先端には手で握って操作し易いような形にしたノブが取付けられ、そのノブには牛皮や木目等の加飾が施されることが多い（特許文献１及び２）。
【０００３】
従来このようなノブの加飾は、金属板の加工品や樹脂成形品（剛体）からなる加飾片の表面にメッキを施し、又は転写シートを貼り付けにより加飾を施したものをノブ加飾取付部に嵌め、接着剤塗布にて一体的に固定する方法が知られている。
【０００４】
この従来の方法を図２について説明する。図２（ａ）はシフトレバーノブの全体傾斜図、図２（ｂ）は図２（ａ）のＡ−Ａ線の拡大断面図である。
図２（ａ）（ｂ）において、１０はノブ本体を示し、その表面の一部に所定形状に加飾取付部（１０ａ）となる凹所を所定形状に形成する。加飾片１１は加飾取付部１０ａの凹所に合せた形、大きさに金型にて樹脂成形品でつくり、又は金属板を打ち抜いて形成しその表面に金、銀、銅等のメッキを施す。またメッキの代りに転写シートを樹脂成形品の表面に貼り付けて加飾片１１となす。
このような加飾片１１をノブ本体１０の加飾取付部１０ａの凹所に嵌め、接着剤により一体的に固定させるとノブ本体に加飾部を具有したものが得られる。
【０００５】
しかし、上記した従来のシートレバーノブの加飾方法では、加飾部表面がメッキ又は転写シートで、該面がそのまま表面に露出しているために固い物体が衝接したような場合は加飾部表面に傷がつき易く、又時経的に汚損、剥離等の問題があった。
また、樹脂成形品は硬い剛体であり、そのためこれをノブ本体の凹部に嵌め込むためには精度が必要で、而も成形品の製作に金型が必要であるから製作加工に手間が掛り、コストの面で不利であった。
【０００６】
【特許文献１】実開昭６３−１２５８９５号公報
【特許文献２】実開昭６２−１４９４４８号公報
【考案の開示】
【考案が解決しようとする課題】
【０００７】
そこで、本考案者は、ノブ加飾部が傷が付いたり損傷され難い、而も樹脂成形品加工のための金型を必要としないで、強固なノブ加飾方法が簡単に得られないかと考えた。
【０００８】
本考案は上記に鑑みてなされたものであり、シフトレバーのノブ加飾を簡単に安価に対応し、強固なシフトレバーノブ加飾構造を提供せんとするものである。
【課題を解決するための手段】
【０００９】
本考案に係るシフトレバーノブ加飾構造は、ノブ本体（１）の加飾取付部（１ａ）に加飾片（２）を設けたシフトレバーノブにおいて、前記加飾片は加飾取付部と同形状に付形した樹脂シートで構成し、この樹脂シートの裏面に加飾印刷（３）し、接着剤（４）を塗布した構造として加飾取付部（１ａ）にセットし表面より熱板で押圧し密着してなることを特徴とする。
なお、「樹脂シート」とは後述するように薄質で曲げたり撓んだりすることができるような加撓性のある樹脂シートを意味する。
【００１０】
また、上記の樹脂シートからなる加飾片（２）を透明樹脂で構成することが好ましい。
透明樹脂の「透明」とは透けて見えることであるが、着色透明及び半透明を含むものである。
【考案を実施するための最良の形態】
【００１１】
（実施例）
図１（ａ）は本考案に係るシフトレバーノブの全体斜視図である。図１（ｂ）（ｃ）は図１（ａ）のＡ−Ａ線、Ｂ−Ｂ線の断面図である。同図に示すように、ノブ本体１にはその表面の一部に浅い凹所からなる加飾取付部１ａが形成され、この取付部１ａに加飾片２が取付けられる。加飾片２は加飾取付部１ａと同形状に付形した樹脂シートで構成する。樹脂シートの好ましい材料はポリカーボネート又はアクリル樹脂がよい。ポリカーボネート又はアクリルの加飾片は薄くて自由に曲げたり、カットすることができるため、加飾取付部１ａの形状に合せて簡単に提供できる。また、樹脂シートの面はフラットであるが熱を加えて押圧することで加飾取付部の形や曲面にも簡単に適合させられる。
【００１２】
このような樹脂シートの加飾片２は透明であっても、又は半透明、若しくは赤、青等の着色透明のものでも差し仕えない。樹脂シートの裏面の加飾印刷３にはメッキ調印刷、木目調印刷、着色印刷等多彩な印刷技術を応用して所望の加飾片２が得られる。加飾印刷３の面にホットメルト剤等の接着剤４を塗布し、ノブ本体１の加飾取付部１ａに被せるようにセットし表面より熱板で押圧着して一体に固定させる。
【００１３】
本考案に係るノブ加飾構造はノブの加飾を樹脂シートを用いて裏面に加飾印刷したものを真空成形等により付形しノブの取付部に被せてセットし加熱密着させることで容易に加飾対応可能である。
【産業上の利用可能性】
【００１４】
本考案に係るシフトレバーノブ加飾構造は、金型等を必要としないで樹脂シートの付形及びノブの加飾取付部への取付を簡単にできるためコストの面でも有利であり、産業上の利用可能性は極めて大きい。
【図面の簡単な説明】
【００１５】
【図１】図１は本考案に係るシフトレバーノブの全体斜視図である。
【図２】図２（ａ）は図１のＡ−Ａ線の断面図、図２（ｂ）は図１Ｂ−Ｂ線の拡大した断面図、図２（ｃ）は加飾部の拡大図である。
【図３】図３（ａ）は従来のシフトレバーの斜視図であり、図３（ｂ）は図３（ａ）のＣ−Ｃ線の断面図である。
【符号の説明】
【００１６】
１    ノブ本体
１ａ  加飾取付部
２    加飾片
３    加飾印刷
４    接着剤
【図１】
0003124956.tif 000003
【図２】
0003124956.tif 000004
【図３】
0003124956.tif 000005
(57)【要約】【課題】従来のカーエアコンはフロントガラスに付着した霜をＤＥＦの吹出口の温風で融かすのに時間がかかってしまう。また、フロントガラスで冷やされた冷気が顔などにあたってしまい、不快感を与えてしまう。【解決手段】フロントガラスに霜が付着しやすい温度条件を温度センサで検知し、温度が低い時はフロントガラスの外側の吹出口から温風を直接、霜に吹きかけて融かす。温度が高い時はフロントガラスの内側の吹出口（ＤＥＦ）から風を吹きかけてフロントガラスのくもりを消す。【選択図】図１
0003124957.tif 000002
【実用新案登録請求の範囲】
【請求項１】
従来の自動車用エアコンにあるＤＥＦ、ＦＡＣＥ、ＦＯＯＴの吹出口に加えてフロントガラスの外側に吹出口を設け、センサによって各々の吹出口の開閉と風量を変える機構を持つカーエアコン
【請求項２】
上記エアコンの手段が、フロントガラスの外側に設けた吹出口から進入する水を自動車の内部に進入しないように、この吹出口につながる空気ダクトの下側に排出口を設けたもの
【請求項３】
上記エアコンの手段に、フロントガラスの外側に設けた吹出口に、霜を融かす効果を高めるために防水ヒータを追加したもの
【請求項４】
上記エアコンの手段に、車内の湿度が高く、車内より車外の温度が低い時にフロントガラスのくもりを消すためにＤＥＦの吹出口に切り替える手段と、長時間にわたって車外の温度が低く、湿度が高い時にフロントガラスの霜を融かすためにフロントガラスの外側に吹出口に切り替える手段を追加したもの
【考案の詳細な説明】
【技術分野】
【０００１】本発明はフロントガラスに付着した霜を融かすためのカーエアコンに関する。
【背景技術】
【０００２】従来のエアコンにはフロントガラスの内側に吹きかける吹出口（ＤＥＦ）、顔に直接吹きかける吹出口（ＦＡＣＥ）、足元に吹きかける吹出口（ＦＯＯＴ）がある。
【考案の開示】
【考案が解決しようとする課題】
【０００３】従来のカーエアコンはフロントガラスに付着した霜をＤＥＦの吹出口の温風でフロントガラスの内側から融かすために、フロントガラスの熱伝道により霜を融かすのに時間がかかってしまう。また、暖房効率を高める為に断熱効果の高いフロントガラスを使用した場合は更に霜を融かすのに時間がかかってしまう。【０００４】従来のカーエアコンはフロントガラスに付着した霜をＤＥＦの吹出口でフロントガラスの内側から融かすために、フロントガラスで冷やされた冷気が顔などにあたってしまい、不快感を与えてしまう。【０００５】フロントガラスの霜にウォッシャー液をかけて融かそうとすると、フロントガラスの温度が低いためにウォッシャー液が凍ってしまい、かえって視界を遮ってしまう。
【課題を解決するための手段】
【０００６】フロントガラスに霜が付着しやすい温度条件を温度センサで検知し、温度が低い時はフロントガラスの外側の吹出口から温風を直接、霜に吹きかけて融かす。温度が高い時はフロントガラスの内側の吹出口（ＤＥＦ）から風を吹きかけてフロントガラスのくもりを消す。【０００７】本発明にはフロントガラスの外側に吹出口を設けるため、洗車などで水が車内に侵入することを防止する必要がある。その手段としてフロントガラスの外側の吹出口は下側に水の浸入を防ぐダクトを設ける。
【考案の効果】
【０００８】フロントガラスの外側に吹出口を追加することで、従来のカーエアコンに送風機、ヒータなど追加することなく、軽量で安いフロントガラスの霜取り機構の付いたカーエアコンを実現することができる。【０００９】フロントガラスの外側の吹出口から直接フロントガラスの霜に温風を吹きかける為に、短時間で霜を融かすことができる。【００１０】フロントガラスの霜を融かすのに、ＤＥＦの吹出口を使用しないために、不愉快な冷気が顔などに当たらない。【００１１】フロントガラスの霜を融かすのに、ＤＥＦの吹出口を使用しないために、断熱効果の高いフロントガラスを使用できるため、断熱効果が高まり冷暖房効率を良くすることができる。
【考案を実地するための最良の形態】
【００１２】従来のカーエアコンに付いている吹出口のＤＥＦ、ＦＡＣＥ、ＦＯＯＴにフロントガラスの外側に向かって吹出口を追加する。この吹出口はボンネットの下側に設けて雨が進入しない構造にし、この吹出口のダクトの下側は侵入した水をダクトから出す２重構造の排水口を設ける。また、吹出口切替ダンパーをこの吹出口の内部ヒータ側に設け、吹出口切り替え用サーボモータで送風の切り替えを行う。従来のカーエアコン用のコンピューターと温度センサで制御し、霜が降りる外気温度になった場合はエンジンかけてから一定時間、フロントガラス外側の吹出口から温風を出すプログラムを追加する。寒冷地仕様では、更に霜を融かす能力を高めるためにフロントガラスの外側に設けた吹出口に、防水ヒータを追加する。
【図面の簡単な説明】
【図１】本考案の構造図
【符号の説明】
１    空気を送り出すファンモータ
２    空気を暖める内部ヒータ
３    フロントガラスの内側の吹出口（ＤＥＦ）
４    顔に直接吹きかける吹出口（ＦＡＣＥ）
５    足元に吹きかける吹出口（ＦＯＯＴ）
６    吹出口フロントガラスの外側の吹出口、
７    吹出口切替ダンパー
８    フロントガラス
９    ダクトの排水口
【図１】
0003124957.tif 000003
【手続補正書】
【提出日】平成18年5月26日(2006.5.26)
【手続補正１】
【補正対象書類名】実用新案登録請求の範囲
【補正対象項目名】全文
【補正方法】変更
【補正の内容】
【実用新案登録請求の範囲】
【請求項１】
従来の自動車用エアコンにあるＤＥＦ、ＦＡＣＥ、ＦＯＯＴの吹出口に加えてフロントガラスの外側に吹出口を設け、センサによって各々の吹出口の開閉と風量を変える機構を持つカーエアコン
【請求項２】
請求項１記載のカーエアコンの手段に、フロントガラスの外側に設けた吹出口から進入する水を自動車の内部に進入しないように、この吹出口につながる空気ダクトに排出口を設けた請求項１記載のカーエアコン
【請求項３】
請求項１記載のカーエアコンの手段に、フロントガラスの外側に設けた吹出口に、霜を融かす効果を高めるために防水ヒータを追加した請求項１記載のカーエアコン
【請求項４】
請求項１記載のカーエアコンの手段に、車内の湿度が高く、車内より車外の温度が低い時にフロントガラスのくもりを消すためにＤＥＦの吹出口に切り替える手段と、長時間にわたって車外の温度が低く、湿度が高い時にフロントガラスの霜を融かすためにフロントガラスの外側に吹出口に切り替える手段を追加した請求項１記載のカーエアコン
(57)【要約】      （修正有）【課題】足袋靴と足との関係がしっくりとし、履き心地が良くなり、傾斜した場所、又不安定な場所等の歩行や作業などが快適に出来、長時間の作業等も、足全体えの負担が軽減され、足の疲れや靴擦れを解消する。【解決手段】面ファスナーを縫い付けてある締め付け部品１を、地下足袋靴の背面２の部分に縫い付け、足袋の背面を締め付けることのできる地下足袋靴。【選択図】図２
0003124953.tif 000002
【実用新案登録請求の範囲】
【請求項１】
図面に示すように従来の地価足袋靴の背面２の部分を両方からだきか々えるように締め付ける部品１との組合せ。
【考案の詳細な説明】
【考案の詳細な説明】
【考案が解決しようとする課題】
【０００１】  従来の地下足袋靴は、細身の足の人、又長時間使用した足袋靴の場合足袋靴と足との関係がしっくりいかない為に足全体に負担がか々り、足が疲れやすい問題点があった。特に傾斜した土地、場所、不安定な土地、場所などの歩行や作業。
【課題を解決するための手段】
【０００２】  上記目的を達成するために、第一図のマヂックテープを縫い付けてある締め付け部品１を、第二図の従来の地下足袋靴の背面２の部分に縫い着ける。
【考案の効果】
【０００３】  この組合せによって地下足袋靴を使用した場合足袋靴と足との関係がしっくりとし、履き心地が良くなり、傾斜した場所、又不安定な場所等の歩行や作業などが快適に出来、長時間の作業等も、足全体えの負担が軽減されるため、足の疲れや靴擦れが解消される。
【図面の簡単な説明】
【図１】従来の地下足袋靴３に、締め付け部品１を組み合わせた上視図。
【図２】従来の地下足袋靴３の背面２の部分を示した上視図。
【符号の説明】
１  締め付け部品
２  足袋靴の背面の部分
３  足袋靴
【図１】
0003124953.tif 000003
【図２】
0003124953.tif 000004
【手続補正書】
【提出日】平成17年12月24日(2005.12.24)
【手続補正１】
【補正対象書類名】実用新案登録請求の範囲
【補正対象項目名】全文
【補正方法】変更
【補正の内容】
【実用新案登録請求の範囲】
【請求項１】
面ファスナーを縫い付けてある締め付け部品１を、地価足袋靴の背面２の部分に縫い付け、足袋の背面を締め付けることのできる地価足袋靴。
【手続補正書】
【提出日】平成18年4月25日(2006.4.25)
【手続補正１】
【補正対象書類名】実用新案登録請求の範囲
【補正対象項目名】全文
【補正方法】変更
【補正の内容】
【実用新案登録請求の範囲】
【請求項１】
面ファスナーを縫い付けてある締め付け部品１を、地下足袋靴の背面２の部分に縫い付け、足袋の背面を締め付けることのできる地下足袋靴。
(57)【要約】【課題】  この考案は乳児用よだれかけを母親と共有することにより、乳児が母乳をうまく飲めない際などの、母親からの母乳流出による、ブラジャーや衣服などの汚れを防ぐものである。【解決手段】  この考案は、乳児用のよだれかけを下肢に至るまで延長し（１）、乳児への取り付け部分とは反対側（２）を、母親の乳房下部のブラジャーにはさめるようにして共有することにより、乳児による母乳の吐き戻しだけでなく、母親の母乳流出による衣服等の汚れも防ぐことのできるよだれかけである。また、乳児用のよだれかけの裏面につけたスナップ（３）を、（４）に合わせることにより、長さを短くできるようにし、通常のよだれかけとしても使用できるものである。【選択図】図１
0003124955.tif 000002
【実用新案登録請求の範囲】
【請求項１】
乳児用のよだれかけを下肢に至るまで延長し（１）、乳児への取り付け部分とは反対側（２）を母親のブラジャーにはさめるようにしたもの。
【請求項２】
乳児用のよだれかけの裏面につけたスナップ（３）を、（４）に合わせることにより、長さを調節できるようにしたもの。
【考案の詳細な説明】
【技術分野】
【０００１】  この考案は、乳児が母乳を飲む際、母乳がたれてしまうなどの汚れを防止するのに用いる、よだれかけに関するものである。
【背景技術】
【０００２】  従来のよだれかけは、胸部、腹部までを覆うものが一般的であり、乳児による母乳の吐き出しなどの汚れのみを防止するものである。
【考案の開示】
【考案が解決しようとする課題】
【０００３】  乳児がうまく母乳を吸えない際、母親の母乳が流出し、乳児のみのよだれかけでは受け止められず、ブラジャーや衣服を汚してしまうことがあった。したがって、乳児用よだれかけを延長できるようにし、母親と共有することにより、前述の欠点を解決しようとするものである。
【課題を解決するための手段】
【０００４】  この考案は、乳児用のよだれかけを下肢に至るまで延長し（１）、乳児への取り付け部分とは反対側（２）を母親のブラジャーにはさめるようにして共有することにより、乳児による母乳の吐き戻しだけでなく、母親の母乳流出による汚れも防ぐことのできるよだれかけである。【０００５】  また、乳児用のよだれかけの裏面につけたスナップ（３）を、（４）に合わせることにより、長さを調節できるようにし、通常のよだれかけとしても使用できるものである。
【考案の効果】
【０００６】  上述のように、乳児用のよだれかけの裏面につけたスナップ（３）を、（４）に合わせることにより、通常のよだれかけとして使用できることはもちろん、スナップをはずして延長し（１）、乳児への取り付け部分とは反対側（２）を母親のブラジャーにはさめ共有することにより、乳児による母乳の吐き戻しだけでなく、乳児がうまく母乳をすえない際の母乳流出による、衣服等の汚れも防ぐことができる。
【考案を実施するための最良の形態】
【０００７】  下肢に至るまでの長さのよだれかけ本体（１）を乳児へ取り付け、その反対側（２）を母親が乳房を出した状態の、乳房下のブラジャー部分にはさめることにより、よだれかけを共有する。【０００８】  また、授乳時以外は、本体裏面につけたスナップ（３）を、（４）に合わせることにより、通常のよだれかけとしても使用できるものである。
【図面の簡単な説明】
【０００９】
【図１】この考案の母乳たれ防止よだれかけの一実施例を示す図である。
【図２】同よだれかけの裏面につけたスナップ（３）を、（４）に合わせた状態を示す。
【符号の説明】
【００１０】１  よだれかけ本体
２  母親側挿入部
３  中部スナップ
４  上部スナップ
【図１】
0003124955.tif 000003
【図２】
0003124955.tif 000004
【手続補正書】
【提出日】平成18年4月18日(2006.4.18)
【手続補正１】
【補正対象書類名】実用新案登録請求の範囲
【補正対象項目名】請求項２
【補正方法】削除
【補正の内容】
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】  乳児用よだれかけの裏面中部につけたスナップ（３）を、上部（４）に合わせることにより、通常のよだれかけとして使用できることはもちろん、スナップをはずして延長し（１）、乳児への取り付け部分とは反対側（２）を母親の乳房下部のブラジャーにはさめ共有することにより、乳児による母親の吐き戻しだけでなく、乳児がうまく母乳をすえない際の母乳流出による、衣服等の汚れも防ぐことができる。
【手続補正４】
【補正対象書類名】明細書
【補正対象項目名】０００８
【補正方法】削除
【補正の内容】
【手続補正書】
【提出日】平成18年6月26日(2006.6.26)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
乳児用のよだれかけを、乳児の首から下肢に至るまで延長し（１）、乳児への取り付け部分とは反対側（２）を、母親のブラジャーにはさめるようにしたもの。
(57)【要約】      （修正有）【課題】遠赤外線の放射など健康増進機能を有するセラミックスは、従来より知られているが、これを身体に保持させる為の便利な資材は見当たらなかった。本考案は、シリコーンゴムを利用し、応用範囲の極めて広い便利な健康増進材を提供する。【解決手段】基材である布地の表面にシリコーンゴム成形体を、その基部を布地の織り目中に浸み込ませた状態で固定し、このシリコーンゴム成形体中にセラミックス粒を混入せしめて健康増進材を構成した。【選択図】図２
0003124934.tif 000002
【実用新案登録請求の範囲】
【請求項１】
基材である布地の表面にシリコーンゴム成形体が、その基部を布地の織り目中に浸み込ませた状態で固定されており、このシリコーンゴム成形体中にはセラミックス粒が混入せしめられていることを特徴とする健康増進材。
【考案の詳細な説明】
【技術分野】
【０００１】
この考案は健康増進材、詳しくは、シリコーンゴムを用いた健康増進材に関するものである。
【背景技術】
【０００２】
遠赤外線を放射するなど、各種健康増進機能を有するセラミックスは従来から多く知られており、これらセラミックスを用いた健康増進具も、従来から各種提案されている。
【特許文献１】なし
【非特許文献１】なし
【考案の開示】
【考案が解決しようとする課題】
【０００３】
一般的に、健康増進機能を有するセラミックスが十分効果を発揮するには、身体に十分接近させなければならず、何らかの保持手段によってセラミックスを身体に接近して保持させる必要がある。しかしながら、従来のものにおいては、セラミックスの身体へ接近させての保持はなかなかむずかしく、セラミックスの健康増進機能を十分に発揮されていたとは言い難いのが現状である。
【０００４】
本考案者は、健康増進機能を有するセラミックスの利用範囲を拡大すべく研究を行った結果、シリコーンゴムを利用し、応用範囲の極めて広い便利な健康増進材を開発することに成功し、本考案としてここに提案するものである。
【課題を解決するための手段】
【０００５】
基部である布地１の表面にシリコーンゴム成形体２をその基部を布地１の織り目中に浸み込ませた状態で固定し、シリコーンゴム成形体２中にセラミックス粒３を混入して健康増進材を構成することにより、上記課題を解決した。。
【実施例】
【０００６】
図１はこの考案に係る健康増進材の一実施例の斜視図、図２はその一部を拡大して模式的に描いた縦断面図である。図中１は基部である布地であり、この布地１の一方の面には薄い板状に成形されたシリコーンゴム成形体２が、その基部を布地１の織り目中に浸み込ませた状態で固定されている。なお、この実施例においては、シリコーンゴム成形体２は方形をなしているが、円形や楕円形、あるいは特定の形象物を模した形など、いかなる形状であっても良い。
【０００７】
そして、このシリコーンゴム成形体２中には、遠赤外線の放射などの健康増進機能を有するセラミックス粒３が混入せしめられている。なお、セラミックス粒３の粒径は、特に問わず、肉眼では粉にしか見えない微粒子状のものから肉眼で見ることの出来る比較的大きい粒径のものまで、必要に応じて各種寸法のものを用いることが出来る。
【０００８】
又、布地１へのシリコーンゴム成形体２の固定は、布地１の所望箇所へシリコーンゴム成形型を押し当て、この成形型内へシリコーンゴム流動物を流し込み、加圧しつつ加熱し、このシリコーンゴム流動物の一部を布地１の織り目中に浸み込ませた状態で固化されることにより行われる。
【０００９】
この実施例は上記の通りの構成を有するものであり、基部である布地１の一方の面には、シリコーンゴム成形体２が、その基部を布地１の織り目中に浸み込んだ状態で固定されており、これを適当な大きさに裁断してスエットバンドやサポーターなど各種装身具に加工したり、被服や帽子などに縫い付けて使用に供する。そして、これを身に付ければ、シリコーンゴム成形体２中のセラミックス粒３から遠赤外線などが放射され、健康増進効果がもたらされる。この際、シリコーンゴム成形体２は基板である布地１にその基部を浸み込ませた状態で固定されているので、繰り返し加えられる折り曲げによっても剥がれたりすることがなく、十分な伸縮性を持ちながら確実に布地１と一体化し、ひざや腰などにも確実に固定することが出来、高い実用性を持つものである。
【図面の簡単な説明】
【００１０】
【図１】この考案に係る健康増進材の一実施例の斜視図。
【図２】その一部を拡大し、模式的に描いた拡大断面図。
【符号の説明】
【００１１】
１    布地
２    シリコーンゴム成形体
３    セラミックス粒
【図１】
0003124934.tif 000003
【図２】
0003124934.tif 000004
(57)【要約】      （修正有）【課題】身体のツボを刺激して健康の維持増進を図るツボ刺激具は従来より各種提案されているが、シリコーンゴムの長所を十分に生かしたものは見当たらなかった。【構成】裏面側に複数の凸部２を形成したショアＡ硬度２５〜７０のシリコーンゴム板状体１の裏面側に、ショアＡ硬度２０以下の粘着性シリコーンゴムからなる粘着性シリコーンゴム層３を形成せしめてツボ刺激材を構成した。【選択図】図２
0003124933.tif 000002
【実用新案登録請求の範囲】
【請求項１】
裏面側に複数の凸部を形成したショアＡ硬度２５〜７０のシリコーンゴム板状体の裏面側に、ショアＡ硬度２０以下の粘着性シリコーンゴムからなる粘着性シリコーンゴム層を形成せしめたことを特徴とするツボ刺激材。
【考案の詳細な説明】
【技術分野】
【０００１】
この考案はツボ刺激材、詳しくはシリコーンゴムを用いたツボ刺激材に関するものである。
【背景技術】
【０００２】
人体に点在するツボを刺激することが健康の維持増進に効果のあることは、古くより知られており、各種ツボ刺激具が従来から提案されている。
【特許文献１】なし
【非特許文献１】なし
【考案の開示】
【考案が解決しようとする課題】
【０００３】
ツボ刺激具には、何らかの手段によってツボが存在する皮膚に貼り付けて使用に供するタイプのものも存在するが、このタイプのものにおいては、貼付した際に目立ったり、皮膚になじまず、貼付に伴い皮膚に違和感が生じてしまうものも多く、必ずしも満足し得るものばかりではなかった。本考案者は、無害であると共に、皮膚に接したときの感触が良好で、加工も容易であるというシリコーンゴムの素材としての優秀性に着目し、このシリコーンゴムを用いた新しいツボ刺激材を実現すべく研究を行った結果、大変効果のあるツボ刺激材を開発することに成功し、本考案としてここに提案するものである。
【課題を解決するための手段】
【０００４】
裏面側に複数の凸部を形成したショアＡ硬度２５〜７０のシリコーンゴム板状体の裏面側に、ショアＡ硬度２０以下の粘着性シリコーンゴムからなる粘着性シリコーンゴム層を形成せしめてツボ刺激材を構成することにより、上記課題を解決した。
【実施例】
【０００５】
図１はこの考案に係るツボ刺激材の実施例１の裏面図、図２は図１における矢視Ａ−Ａ線断面図である。
【０００６】
図中１はこのツボ刺激材の本体を構成しているシリコーンゴム板状体であり、ショアＡ硬度２５〜７０のシリコーンゴムをその素材とし、直径２〜５ｃｍの円板状をなしており、裏面側には複数の凸部２が形成されている。そして、このシリコーンゴム板状体１の裏面側には、ショアＡ硬度２０以下の粘着性シリコーンゴムからなる粘着性シリコーンゴム層３が形成されており、この粘着性シリコーンゴム層３を貫通して前記凸部２の先端側が裏面側に露出している。又、シリコーンゴム板状体１中には、必要に応じて、図２に示す様に、健康促進材であるセラミック粒４を混入せしめられている。なお、図２の場合には、セラミック粒４をシリコーンゴム板状体１中にのみ混入せしめているが、粘着性シリコーンゴム層３中にも混入せしめても良い。
【０００７】
この実施例１は上記の通りの構成を有し、身体のツボに貼付して使用するものであり、シリコーン板状体１に形成されている凸部２がツボを刺激して健康の増進効果がもたらされる。なお、その内部にセラミック粒４が混入せしめられているものにおいては、このセラミック粒４から放出される遠赤外線も相乗的に作用し、更に一層健康増進効果が発揮される。
【０００８】
次に、図３及び図４に基づいてこの考案に係るツボ刺激材の実施例２について説明する。この実施例２においては、ショアＡ硬度２５〜７０のシリコーンゴム板状体１の裏面に形成されている凸部２の先端は、ショアＡ硬度２０以下の粘着性シリコーン層３の内側に位置し、外部には露出していない。なお、この実施例においても、セラミック粒をシリコーンゴム板状体１と粘着性シリコーンゴム層３の一方又は両方に混入せしめても良い。この実施例２も、前述の実施例１と同様に身体のツボに貼付して使用に供するものであり、凸部２がツボを刺激することにより、健康増進効果がもたらされる。
【０００９】
更に、図５及び図６はこのこの考案に係るツボ刺激材の実施例３を示したものであり、この実施例においては長尺状をなしたショアＡ硬度２５〜７０のシリコーンゴム板状体１の裏面側には複数の凸部２が形成されており、この凸部２を覆う様に、ショアＡ硬度２０以下の粘着性シリコーンゴムからなる粘着性シリコーンゴム層３が形成されている。なお、この実施例３においては、凸部２は粘着性シリコーンゴム層３の内側に位置しているが、図１及び図２に示す実施例１の様に、凸部２の先端を粘着性シリコーンゴム層３から裏面側に露出させる様にしても良い。又、シリコーンゴム板状体１及び粘着性シリコーンゴム層３の一方又は両方に健康促進効果のあるセラミック粒を混入せしめても良いことは、上述の実施例１及び２の場合と同様である。
【００１０】
この実施例３は長尺状をしており、必要に応じて所望の大きさにカットして使用に供するものであり、貼付部位や貼付目的に応じて自由にその大きさや形状を選ぶことが出来、より多面的な使用が可能となる。
【００１１】
以上述べた如く、この考案に係るツボ刺激材は複数の凸部が形成されているショアＡ硬度２５〜７０のシリコーンゴム板状体と凸部が形成されている側の面に形成されたショアＡ硬度２０以下の粘着性シリコーンゴム層との二層構造によって構成されており、皮膚に無害であると共にツボ刺激に最適な弾性を有し、成形も容易であるシリコ−ンゴムの素材としての長所を十分に生かし、身体のツボを効果的に刺激し、健康の維持増進に資することが出来る効果を有し、高い実用性を有するものである。
【図面の簡単な説明】
【００１２】
【図１】この考案に係るツボ刺激材の実施例１の裏面側から見たその底面図。
【図２】図１における矢視Ａ−Ａ線断面図。
【図３】この考案に係るツボ刺激材の実施例２の裏面側から見たその底面図。
【図４】同じく、図３における矢視Ｂ−Ｂ線断面図。
【図５】この考案に係るツボ刺激材の実施例３の裏面側から見た一部を切欠いて描いた斜視図。
【図６】同じく、その断面図。
【符号の説明】
【００１３】
１    シリコーンゴム板状体
２    凸部
３    粘着性シリコーンゴム層
４    セラミック粒
【図１】
0003124933.tif 000003
【図２】
0003124933.tif 000004
【図３】
0003124933.tif 000005
【図４】
0003124933.tif 000006
【図５】
0003124933.tif 000007
【図６】
0003124933.tif 000008
(57)【要約】      （修正有）【課題】装飾品本体を基体に取り付ける構造でありながら、装飾品本体が肌と接触して該肌を傷つける虞なく、装飾品本体の基板への取付は比較的簡単で、しかも装飾品本体を紛失させるような虞を未然に防止した取付装置を提供すること。  【解決手段】装飾品本体５の上端表面と上記基体の上表面が略々同一平面となるよう嵌合出来る不透孔６を設け、かつ上記不透孔の底面から上方に向かい、上記装飾品本体の外側周面に当接して装飾品本体を基体に固着保持する１乃至複数の爪部１２を設けてなる。【選択図】図３
0003124923.tif 000002
【実用新案登録請求の範囲】
【請求項１】
指輪やペンダントヘッドやブレスレットやイヤリングなどの装飾品基本基板に取り付けるダイヤモンドのような装飾品本体にあって、当該装飾品本体の上端表面と上記基体の上表面が略々同一平面となるよう嵌合出来る不透孔を設け、かつ上記不透孔の底面から上方に向かい、上記装飾品本体の外側周面に当接して装飾品本体を基体に固着保持する１乃至複数の爪部があることが特徴の装飾品の取付装置。
【考案の詳細な説明】
【技術分野】
【０００１】
この考案は、指輪やペンダントヘッドやブレスレットやイヤリングやネックレスなどの装飾基体にダイヤモンドやサファイヤやルビーなどの装飾品本体を取り付ける装置の改良に関する。
【背景技術】
【０００２】
従来かかる基体に装飾品本体を取り付ける手段としては、装飾品本体を基体の表面に載置など沿わせ、該基体から突出させた数個の爪で装飾品を固定し支持するのが、一般的である。（特許文献１参照）
しかしこの種の従来手段では、かかる基板より装飾品が突出しているため、肌などと接触し、肌あるいは装飾品自体に傷をつける虞があった。
また上記装飾品本体を支える爪部が折り曲がり知らない内に貴重な装飾品本体から外れる不祥事を招く欠点があった。
【特許文献１】登録実用新案第３０５０３６９号
【特許文献２】登録実用新案第３０１９６６７号
【特許文献３】登録実用新案第３００２４５１号
【考案の開示】
【考案が解決しようとする課題】
【０００３】
而して本案の目的とするところは、装飾品本体を基体に取り付ける構造でありながら、装飾品本体が肌と接触して該肌を傷つける虞なく、装飾品本体の基板への取付は比較的簡単で、しかも装飾品本体を紛失させるような虞を未然に防止した取付装置を提供する事にある。
【課題を解決するための手段】
【０００４】
即ち本案の特徴は、指輪やペンダントヘッドやイヤリングやネックレスなどの装飾品基体にダイヤモンドのような装飾品本体を取り付ける手段にあって、当該装飾品本体の上端面と上記基体の上表面が略々同一平面となるよう軟嵌合できる不透孔を基本に設けた事である。
【０００５】
また上記不透孔の底面から上方に向かって、上記装飾品本体の外側周面に当接して装飾品本体を基体に固着保持する複数の爪部があることも、その特徴である。
【考案の効果】
【０００６】
而して本案は、ダイヤモンドのような装飾品本体を基体の不透孔に軟嵌合し、しかもその上端面は基体の上表面と略々同一としたから、装飾品本体が直接肌にその他に触れることがなく、従って肌を傷つける事も、高価な装飾品本体そのものを傷つけるような虞を未然に防止できたのである。
【０００７】
また、かかる装飾品本体の基板への取付は、上記基体の不透孔から上方に突出させた爪部に装飾品本体を嵌合するだけでよく、装飾品本体が肌やその他に接触する虞がないから、装飾品を外そうとする強い力が働く事が無いので、その固着保持する強度も充分である。
【０００８】
ただ、基体の材質その他によっては、上記爪部を装飾品方向に折り曲げたり、あるいは適当な接着剤を使用したりしても良いが、いずれにしろ、その強度は従来品との比較に於て弱いもので外れ難いから、それだけ紛失の危険も少ない。
【考案を実施するための最良の形態】
【０００９】
図１の実施例は、ペンダントヘッドに本案実施した例を示した。図１で（１）はペンダント本体、（２）はその首に巻装するチェーン部で、（３）は該チェーン部からフック（４）で吊り下げられた偏平な短形状ペンダントヘッドのような基体である。
【００１０】
図２でみられるように、かかる基体（３）の表面には、これに取り付けられるダイヤモンドのような装飾品本体（５）が軟嵌合出来る複数の不透孔（６）が穿たれている。
【００１１】
ただ図２に示した不透孔（６）は、上方の不透孔（６）に対して、その中心軸の下方に同芯軸にして小径の副不透孔（７）がある。
【００１２】
即ち、この実施例に於ける装飾品本体（５）は、その上端面が平面（８）で、そろばん玉のように膨らんだ中間部（９）を有し、末端は逆三角錐（１０）となった形状を有するもので、上記副不透孔（７）には、この逆三角錐（１０）の部分が密に嵌合され、中間部（９）は不透孔（６）の底面よりやや上方に位置し、その上面の平面（８）は装飾品本体（５）の表面（１１）と同一平面となるように構成されている。
【００１３】
また図中（１２）は、不透孔（６）の底面にあって、副不透孔（７）の上面の辺から上方に、かつ装飾品本体（５）の外周と接するように突出させた複数の爪部である。
【００１４】
而して上記の装飾品本体（５）は、この爪部（１２）に強く嵌入する手段でよいが、基体（３）の部材が比較的弱かったり、弾性力に乏しいものであったりするような場合は、爪部（１２）の上端を少し装飾品本体（５）側により折り曲げ、該装飾品本体（５）を基体（３）に固着保持させるか、あるいは適当な接着剤を用いても良い。
【００１５】
よって本案は、装飾品本体（５）を基体（３）に恰も埋め込んだような構造としたから、装飾品本体（５）が肌やその他に接する機会が無く、それだけ基体（３）から外れ紛失するような虞や傷つけたりする虞なく就寝時も装着のままでも安心して使用できるのである。
【図面の簡単な説明】
【００１６】
【図１】チェーンに装着したペンダントヘッドの正面図
【図２】ペンダントヘッド本体全体の正面図
【図３】図２のＡ−Ａ線拡大断面図
【符号の説明】
【００１７】
１  ペンダント本体
２  チェーン部
３  基体
４  フック
５  装飾品本体
６  不透孔
７  副不透孔
８  平面
９  中間部
１０  逆三角錐
１１  表面
１２  爪部
【図１】
0003124923.tif 000003
【図２】
0003124923.tif 000004
【図３】
0003124923.tif 000005
(57)【要約】      （修正有）【課題】市電が供給しない野外で、リチウムイオン電池の電力が切れた場合にも充電することができ、電子装置を持続に楽しめることができる磁力線割り手段内に磁性素子を作動させることによりリチウムイオン電池本体を充電する自己充電式リチウムイオン電池を提供する。【解決手段】主に、リチウムイオン電池本体１の一側に一つの発電装置２を組付け、前記発電装置は、一つの動力手段２１と、一つの磁力線割り手段２２とを含み、前記磁力線割り手段には、前記リチウムイオン電池本体の内部に挿入して前記リチウムイオン電池と接続するリードが接続してあることを特徴とする自己充電式リチウムイオン電池。【選択図】図１
0003124913.tif 000002
【実用新案登録請求の範囲】
【請求項１】
主に、リチウムイオン電池本体の一側に一つの発電装置を組付けて構成されるものであり、
前記発電装置は、一つの動力手段と、一つの磁力線割り手段とを含み、
前記磁力線割り手段には、前記リチウムイオン電池本体の内部に挿入して前記リチウムイオン電池と接続するリードが接続してあることを特徴とする、
自己充電式リチウムイオン電池。
【請求項２】
前記動力手段は、磁力線割り手段内に磁性素子を手動方式で往復動させるものであることを特徴とする、請求項１に記載の自己充電式リチウムイオン電池。
【請求項３】
前記動力手段は、磁力線割り手段内に磁性素子を手動方式で回転させるものであることを特徴とする、請求項１に記載の自己充電式リチウムイオン電池。
【請求項４】
前記磁力線割り手段の内部にはコイルが組付けてあることを特徴とする、請求項１に記載の自己充電式リチウムイオン電池。
【請求項５】
前記磁力線割り手段の内部には酸化鉄製シートが組付けてあることを特徴とする、請求項１に記載の自己充電式リチウムイオン電池。
【考案の詳細な説明】
【技術分野】
【０００１】
本考案は、自己充電式リチウムイオン電池に係り、特に、磁力線割り手段内に磁性素子を作動させることによりリチウムイオン電池本体を充電する自己充電式リチウムイオン電池に関するものである。
【背景技術】
【０００２】
国民の生活レベルの向上に従って、身の回りに電子製品（例えば、携帯電話、ノートブック、カメラやデジカメなど）を携帯することは一般になり、しかし、これらの電子製品の全ては電池を電源として使用し、且つ使用される電池は充電式リチウムイオン電池が多い。
【考案の開示】
【考案が解決しようとする課題】
【０００３】
一般のリチウムイオン電池９は、図２に示すように、電子装置の電極端と接触する電極端９１を有し、一定時間に使用されたと、充電することは必要である。
【課題を解決するための手段】
【０００４】
上記欠点を解決するためになされた本願の第１考案は、主に、リチウムイオン電池本体の一側に一つの発電装置を組付けて構成されるものであり、前記発電装置は、一つの動力手段と、一つの磁力線割り手段とを含み、前記磁力線割り手段には、前記リチウムイオン電池本体の内部に挿入して前記リチウムイオン電池と接続するリードが接続してあることを特徴とする自己充電式リチウムイオン電池であることを要旨としている。
【０００５】
本願の第２考案では、前記動力手段は、磁力線割り手段内に磁性素子を手動方式で往復動させるものであることを特徴とする本願の第１考案に記載の自己充電式リチウムイオン電池であることを要旨としている。
【０００６】
本願の第３考案では、前記動力手段は、磁力線割り手段内に磁性素子を手動方式で回転させるものであることを特徴とする本願の第１考案に記載の自己充電式リチウムイオン電池であることを要旨としている。
【０００７】
本願の第４考案では、前記磁力線割り手段の内部にはコイルが組付けてあることを特徴とする本願の第１考案に記載の自己充電式リチウムイオン電池であることを要旨としている。
【０００８】
本願の第５考案では、前記磁力線割り手段の内部には酸化鉄製シートが組付けてあることを特徴とする本願の第１考案に記載の自己充電式リチウムイオン電池であることを要旨としている。
【考案の効果】
【０００９】
本考案に係る自己充電式リチウムイオン電池によれば、市電が供給しない野外で、リチウムイオン電池の電力が切れた場合にも充電することができ、電子装置を持続に楽しめることができる。
【考案を実施するための最良の形態】
【００１０】
以下、添付図面を参照して本考案の好適な実施の形態を詳細に説明する。
【実施例】
【００１１】
まず、図１を参照する。本考案に係る自己充電式リチウムイオン電池は、主に、リチウムイオン電池本体１の一側に一つの発電装置２を組付けて構成されるものであり、前記発電装置２によって発生した電流により前記リチウムイオン電池本体１が充電される。
【００１２】
前記リチウムイオン電池本体１の一端には、携帯電話などの電子製品の電極端と接触する電極端１１が設けてあり、且つ蓄電するために、前記リチウムイオン電池本体１の内部にはコンデンサが設けてある。
【００１３】
前記発電装置２は、一つの動力手段２１と、一つの磁力線割り手段２２とを含み、前記動力手段２１は、磁力線割り手段２２内に磁性素子を手動方式で往復動させるものでもいいし、磁力線割り手段２２内に磁性素子を手動方式で回転させるものでもよく、そして前記磁力線割り手段２２の内部にはコイル又は酸化鉄製シートが組付けてあり、且つ前記磁力線割り手段２２には、前記リチウムイオン電池本体１の内部にあるコンデンサと接続するリードが接続してあり、これにより、磁力線割り手段２２内に磁性素子を作動させるときに、誘導電流が発生して前記リチウムイオン電池本体１を充電する。
【００１４】
図１に示すように、本考案の使用方法は、まず、自己充電式リチウムイオン電池を電子装置から取り出して、自己充電式リチウムイオン電池の動力手段２１の内部に設置された磁性素子の設置方式によって、自己充電式リチウムイオン電池を上下に往復動させることにより磁性素子を磁力線割り手段２２内に往復動すること、又は磁性素子を磁力線割り手段２２内に回転させることにより、磁力線割り手段２２には誘導電流が発生し、前記リードにより前記誘導電流を前記リチウムイオン電池本体１のコンデンサーに伝送すると、前記リチウムイオン電池本体１が充電される。
【図面の簡単な説明】
【００１５】
【図１】本考案の斜視図である。
【図２】従来のものの斜視図である。
【符号の説明】
【００１６】
１        リチウムイオン電池本体        １１      電極端
２        発電装置                      ２１      動力手段
２２      磁力線割り手段                ９        リチウムイオン電池
９１      電極端
【図１】
0003124913.tif 000003
【図２】
0003124913.tif 000004
(57)【要約】      （修正有）【課題】コンクリートブロック内部に植生空間を設け覆土して、植生回復を目的とした多空間コンクリートブロックがいくつか考案されている。その型枠は、独立した大小様々な凹部を縦横に間隔をあけて多数設けた下部型枠と、これに鉄筋を配置し、下部型枠と重合する上部型枠とによって構成されていた。この型枠は、型枠製造コストが高いため、商品サイクルが短い昨今、新規に型枠を製作するには大きなリスクを伴うものであった。本考案は、この欠点を解決しようとするものである。【解決手段】本考案は、空間部分となる複数個の空間部分仕切型枠を、外枠を有した既存の型枠に挿着し、コンクリート打設後、脱着することにより多空間コンクリートブロックを成型するものである。【選択図】図１
0003124617.tif 000002
【実用新案登録請求の範囲】
【請求項１】
内部に植生空間を設けた多空間コンクリートブロックを成型する型枠で、外枠を有した既存の型枠に、下方に向かって細くなるテーパーを有し、外枠の高さと同一かまたは若干高めに挿着・脱着することを特徴とした空間部分となる部分仕切型枠。
【請求項２】
部分仕切型枠の下方部に、鉄筋を配置するための切り欠きを設けたことを特徴とする請求項１記載の空間部分仕切型枠
【考案の詳細な説明】
【技術分野】
【０００１】
本考案は、河川護岸、道路法面に敷設する植生空間を設けた多空間コンクリートブロックを成型する型枠に関するものである。
【背景技術】
【０００２】
コンクリートブロック内部に空間を設け、覆土して、植生回復を目的とした多空間コンクリートブロックがいくつか考案されている。（特許文献1）  その型枠は、独立した大小様々な凹部を縦横に間隔をあけて多数設けた下部型枠と、これに鉄筋を配置し、下部型枠と重合する上部型枠とによって構成されていた。  
【特許文献１】特許第2513546
【考案の開示】
【考案が解決しようとする課題】
【０００３】
独立した大小様々な凹部からなり、縦横に間隔をあけて多数上下に重合する型枠は、型枠製造コストが高いため、商品サイクルが短い昨今、新規に型枠を製作するには大きなリスクを伴うものであった。本考案は、この欠点を解決しようとするものである。
【課題を解決するための手段】
【０００４】
本考案は、独立した大小様々な凹部を縦横に間隔をあけて多数設けた上下の型枠を重合して空間部分を成型する新規製作の型枠ではなく、空間部分となる複数個の部分仕切型枠を、外枠を有した既存の型枠に挿着し、コンクリート打設後、脱着することにより空間部分を成型するものである。
【考案の効果】
【０００５】
ブロック製品サイクルが短く、その度に新規型枠を起さなければならない現状で、外枠を有した既存の型枠に、空間部分となる複数個の部分仕切型枠を挿着・脱着するだけで多空間コンクリートブロックを成型することができる。
【０００６】
空間部分となる部分仕切型枠の形状、大きさ、個数を変えることによって様々な多空間コンクリートブロックが自由自在にデザインできる。
【考案を実施するための最良の形態】
【０００７】
図1に示すように、下方に向かって細くなるテーパー２を有し外枠６の高さと同一かまたは数ｃｍ程度高い４個の空間部分仕切型枠１を、既存型枠５に挿着し、鉄筋７を配置する。図２は、コンクリート８を打設して養生中の状態で、その後図３に示すように、４個の空間部分仕切型枠１を既存型枠５から脱着することによって空間部分９を成型する。図４は、４個の空間部分仕切型枠１によって成型された多空間コンクリートブロック１０である。
【０００８】
図５は下方に向かって細くなるテーパー２を有し、鉄筋７を配置するための切り欠き４を設けてなる請求項２の空間部分仕切型枠１１と１２の２種類を交互に組み合わせて成型する他の実施例である。
【０００９】
多空間コンクリートブロックの空間部分の大きさ、空間部分のデザイン、鉄筋の配置によって、空間部分仕切型枠の形状、大きさ、個数、および切り欠きの有無を自由に組み合わせて成型することができる。空間部分仕切型枠は、鉄・銅・アルミ・鉛などの鋳造品または、溶接などによって成型された鋼板で、挿着・脱着するための取手３を取り付けている。既存型枠は、河川護岸や道路法面に用いた型枠を再利用することができる。本考案は以上のような構造で、これを使用する実施例は、図７に示すように、コンクリートブロック内部に空間を設け覆土して、植生回復を目的とした河川護岸、道路法面に用いる。
【図面の簡単な説明】
【００１０】
【図１】空間部分仕切型枠の挿着分解斜視図
【図２】コンクリート打設後の斜視図
【図３】空間部分仕切型枠の脱着分解斜視図
【図４】多空間コンクリートブロックの斜視図
【図５】請求項２の空間部分仕切型枠の挿着分解斜視図
【図６】請求項２の多空間コンクリートブロックの斜視図
【図７】河川植生護岸の実施例断面図
【図８】他の実施例を示す多空間コンクリートブロックの平面図
【図９】他の実施例を示す多空間コンクリートブロックの平面図
【符号の説明】
【００１１】
１.空間部分仕切型枠
２.テーパー
３.取手
４.切り欠き
５.既存型枠
６.外枠
７.鉄筋
８.コンクリート
９.空間部分
１０.多空間コンクリートブロック 
１１.請求項２の空間部分仕切型枠
１２.請求項２の別の種類の空間部分仕切型枠
１３.請求項２の多空間コンクリートブロック
１４.覆土植生空間
【図１】
0003124617.tif 000003
【図２】
0003124617.tif 000004
【図３】
0003124617.tif 000005
【図４】
0003124617.tif 000006
【図５】
0003124617.tif 000007
【図６】
0003124617.tif 000008
【図７】
0003124617.tif 000009
【図８】
0003124617.tif 000010
【図９】
0003124617.tif 000011